(57)【要約】【課題】  パワー回路部から制御回路部への熱量の移動が最小限に抑えることができるインバータ一体型回転電機を提供する。【解決手段】  容器１００内に、回転軸１に固定されたファン２を有しファン２の駆動により容器１００外から空気を吸入する交流モータ４と、インバータ手段５０とが収納されて成るインバータ一体型回転電機において、インバータ手段５０は容器１００のファン２の駆動により外部から空気が吸入される通風孔９０に配設され、インバータ手段５０のパワー回路部６０がファン２と相対する位置に配設され、インバータ手段５０の制御回路部７０は制御基板７２がパワー回路部６０から熱的に遮断するケース７１内に収納されて成りパワー回路部６０の空気吸入側に配設され、パワー回路部６０の信号線８０と制御基板７２の信号線とはケース７１に形成された貫通孔８２を介して接続されているものである。【選択図】        図１
2007037280.tif 000002
【特許請求の範囲】
【請求項１】
容器内に、回転軸に固定されたファンを有し上記ファンの駆動により上記容器外から空気を吸入する交流モータと、インバータ手段とが収納されて成るインバータ一体型回転電機において、上記インバータ手段は上記容器の上記ファンの駆動により外部から空気が吸入される通風孔に配設され、上記インバータ手段は上記パワー回路部と制御回路部とにて成り、上記パワー回路部が上記ファンと相対する位置に配設され、上記制御回路部は制御基板が上記パワー回路部から熱的に遮断するケース内に収納されて成り上記パワー回路部の空気吸入側に配設され、上記パワー回路部の信号線と上記制御基板の信号線とは上記ケースに形成された貫通孔を介して接続されていることを特徴とするインバータ一体型回転電機。
【請求項２】
上記ケースの貫通孔は、上記パワー回路部と相対する壁面に形成されていることを特徴とする請求項１に記載のインバータ一体型回転電機。
【請求項３】
上記パワー回路部の信号線は任意の一箇所に集約され、上記ケースの貫通孔を貫通されていることを特徴とする請求項１または請求項２に記載のインバータ一体型回転電機。
【請求項４】
上記制御基板の信号線と任意の位置にて接続された配線部を備え、上記パワー回路部の信号線は上記配線部を介して上記制御基板の信号線に接続されていることを特徴とする請求項１ないし請求項３のいずれかに記載のインバータ一体型回転電機。
【請求項５】
上記ケース内において、上記パワー回路部の信号線と上記制御基板の信号線との接続箇所を覆う樹脂が充填され構成されていることを特徴とする請求項１ないし請求項４のいずれかに記載のインバータ一体型回転電機。
【請求項６】
上記パワー回路部の信号線と上記パワー回路部の信号線が貫通する箇所の上記ケースとの隙間に防水パッキンを備えたことを特徴とする請求項１ないし請求項４のいずれかに記載のインバータ一体型回転電機。
【請求項７】
上記防水パッキンは、上記ケースと一体成形されていることを特徴とする請求項６に記載のインバータ一体型回転電機。
【請求項８】
上記ケースは、上記通風孔に連通する水抜き穴部を備えたことを特徴とする請求項１ないし請求項７のいずれかに記載のインバータ一体型回転電機。
【請求項９】
上記ケース内において、上記制御基板が樹脂にて埋まるように充填され構成されていることを特徴とする請求項１ないし請求項７のいずれかに記載のインバータ一体型回転電機。
【発明の詳細な説明】
【技術分野】
【０００１】
この発明は、インバータ一体型回転電機に関し、特に熱特性を向上させるものである。
【背景技術】
【０００２】
従来のインバータ一体型回転電機では、スイッチング素子や制御回路や多数の小電流配線などはケースに収容して機械的、電気的安全性を確保している（例えば、特許文献１参照）。
【０００３】
【特許文献１】特開２００４−２７４９９２号公報
【発明の開示】
【発明が解決しようとする課題】
【０００４】
従来のインバータ一体型回転電機は、ケース内にスイッチング素子を含むパワー回路と制御回路が近接して配置されているためにスイッチング素子の発熱が制御回路に伝熱してしまう。その結果、制御回路の素子を損傷するという問題点があった。また、ケース内に仕切りを設けるなどしてパワー回路からの伝熱を遮断した場合は、ケースが大きくなるという問題点があった。さらに、ケース内の同一平面上にパワー回路と制御回路が配置されているために配線・結線が複雑に成るという問題があった。
【０００５】
この発明は上記のような課題を解決するためになされたものであり、制御回路の温度上昇を抑制して温度特性に優れているインバータ一体型回転電機を得ることを目的とする。
【課題を解決するための手段】
【０００６】
この発明は、容器内に、回転軸に固定されたファンを有しファンの駆動により容器外から空気を吸入する交流モータと、インバータ手段とが収納されて成るインバータ一体型回転電機において、インバータ手段は容器のファンの駆動により外部から空気が吸入される通風孔に配設され、インバータ手段はパワー回路部と制御回路部とにて成り、パワー回路部がファンと相対する位置に配設され、制御回路部は制御基板がパワー回路部から熱的に遮断するケース内に収納されて成りパワー回路部の空気吸入側に配設され、パワー回路部の信号線と制御基板の信号線とはケースに形成された貫通孔を介して接続されているものである。
【発明の効果】
【０００７】
この発明のインバータ一体型回転電機は、容器内に、回転軸に固定されたファンを有しファンの駆動により容器外から空気を吸入する交流モータと、インバータ手段とが収納されて成るインバータ一体型回転電機において、インバータ手段は容器のファンの駆動により外部から空気が吸入される通風孔に配設され、インバータ手段はパワー回路部と制御回路部とにて成り、パワー回路部がファンと相対する位置に配設され、制御回路部は制御基板がパワー回路部から熱的に遮断するケース内に収納されて成りパワー回路部の空気吸入側に配設され、パワー回路部の信号線と制御基板の信号線とはケースに形成された貫通孔を介して接続されているもので、パワー回路部から制御回路部への熱量の移動を最小限に抑えることができる。
【発明を実施するための最良の形態】
【０００８】
実施の形態１．
以下、本願発明の実施の形態について説明する。図１は、この発明の実施の形態１によるインバータ一体型回転電機の構成を示す断面図である。図において、インバータ一体型回転電機は、モータハウジング３および外部ケース９にて成る容器１００内に、回転軸１に固定されたファン２を有しファン２の駆動により容器１００外から空気を吸入する交流モータ４と、入力直流電流を交流電流に変換するインバータ手段５０とが収納されて成る。インバータ手段５０は容器１００のファン２の駆動により外部から空気が矢印Ａにて吸入される通風孔９０に配設されている。そして、インバータ手段５０はパワー回路部６０と制御回路部７０とから構成されている。この、パワー回路部６０はファン２と相対する位置に配設され、交流モータ４のステータコイル４１に給電するインバータ回路を構成する複数のスイッチング素子６１が取り付けられたヒートシンク６２から成る。そして、パワー回路部６０は平滑コンデンサ６３に接続されている。
【０００９】
また、制御回路部７０は、制御基板７２がパワー回路部６０から熱的に遮断するケース７１内に収納されて成る。但し、このケース７１の前面はカバー８によって塞がれている。そして、パワー回路部６０の空気吸入側に配設されている。パワー回路部６０の信号線８０と制御基板７２の信号線（図示せず）とはケース７１に形成された貫通孔８１を介して接続されている。ここでは、貫通孔８１はパワー回路部６０と相対するケース７１の壁面に形成されており、この貫通孔８１を介してパワー回路部６０の信号線８０は制御基板７２に最短経路を通って接続されていることと成る。また、この信号線８０と貫通孔８１の隙間とにはケース７１内において樹脂８２が充填されて塞がれている。また、ケース７１は通風孔９０に連通する水抜き穴部８３が形成されている。そして、交流モータ４のロータ１１に界磁電流を給電するブラシ３１はパワー回路部６０と軸方向において重なる位置に配置されている。
【００１０】
上記のように構成された実施の形態１のインバータ一体型回転電機によれば、制御基板とパワー回路部との間がケースにより分離され、パワー回路部から制御回路部への伝熱経路は、信号線だけと成り、パワー回路部から制御回路部への熱量の移動が最小限に抑えることができる。また、冷却設計が施しやすく高い冷却性能が確保できる。同様にパワー回路部と制御回路部とが分離されることで、個別に絶縁することができるので各々に適した材質や量を選定できるため、コスト抑制と成り、かつ、高い絶縁性能が確保することができる。よって、パワー回路部のスイッチング素子の信頼性が向上することに成る。また、この構成により、制御回路部とパワー回路部とを別々に組み立てた後に、貫通孔を通じて簡単に各信号線を接続することができため、両部品組み立ての前工程、両部品接続後の後工程の両工程での取り扱いが簡便と成り、組立性が向上することができる。また、接続構造も簡素で配線抵抗が少なくなるため、高剛性で高い耐振性を得ることができる。また、信号線と貫通孔との隙間にはケース内において樹脂が充填され塞がれているため、シールに少ない樹脂量にて対応でき、ケース内への水や埃の浸入を防ぐことがきる。また、ケースに設けられた水抜き穴部により、ケース内の結露などによる少量の水は排出されるために制御基板の耐絶縁性を保つことができる。
【００１１】
実施の形態２．
図２はこの発明の実施の形態２におけるインバータ一体型回転電機の要部の構成を示した断面図である。図において、上記実施の形態１と同様の部分は同一符号を付して説明を省略する。この例は上記実施の形態１を示す図１を一部変形したものであり、この変形部分を拡大して示す。この例では、パワー回路部６０から樹脂モールドされた信号線８０１を任意の位置、ここではパワー回路部６０と相対するケース７１の壁面の中央部に集約して形成されている。但し、この任意の位置とは、制御回路を構成する上で都合のよい位置であればいずれの位置であってもよいことは言うまでもなく、これにより、組立性が向上するとともに、制御基板７２のスペースが有効に利用できる。また、ケース７１のパワー回路部６０と相対するケース７１の壁面の中央部に形成された貫通孔８１１のケース７１とその貫通孔８１１を通る一箇所に集約された信号線８０１との隙間に、防水パッキン７３が設けられ、ケース７１内への水や埃の浸入を防いでいる。
【００１２】
上記のように構成された実施の形態２のインバータ一体型回転電機によれば、上記実施の形態１と同様の効果を奏するのはもちろんのこと、パワー回路部の信号線を制御基板の接続すべき任意の一箇所に集約させることにより、組立性が向上するとともに、制御基板のスペースを有効に利用することができる。さらに、防水パッキンを配設することにより、ケースのシールに対応できるため、樹脂の取り扱いや硬化炉の必要がなくシール性を確保することができ、ケース内への水や埃の浸入を防ぐ。
【００１３】
実施の形態３．
図３はこの発明の実施の形態３におけるインバータ一体型回転電機の要部の構成を示した断面図である。図において、上記各実施の形態と同様の部分は同一符号を付して説明を省略する。この例は上記実施の形態１を示す図１を一部変形したものであり、この変形部分を拡大して示す。この例では、ケース７１に制御基板７２の信号線と任意の位置にて接続され、ケース７１にモールドされた導電性部材にて成る配線部７４を備えている。そして、配線部７４とパワー回路部６０の信号線８０とが貫通孔８１を介して接続され、これにより制御基板７２の信号線とパワー回路部６０の信号線８０とが接続されることと成る。また、ケース７１のパワー回路部６０と相対するの壁面の貫通孔８１とその貫通孔８１を通る信号線８０との隙間には防水パッキン７３１がケース７１と一体成形されている。
【００１４】
上記のように構成された実施の形態３のインバータ一体型回転電機によれば、上記各実施の形態と同様の効果を奏するのはもちろんのこと、制御基板の信号線とパワー回路部の信号線とを配線部を介して接続しているため、設計が行いやすくなるだけでなく、パワー回路部の接続構成が簡素に成る。さらに、あらかじめケースに一体成形にて防水用パッキンが形成されているため、簡単にケースの貫通孔周辺とパワー回路部の信号線との隙間を塞ぐことができ、組立性が向上する。
【００１５】
実施の形態４．
図４はこの発明の実施の形態３におけるインバータ一体型回転電機の要部の構成を示した断面図である。図において、上記各実施の形態と同様の部分は同一符号を付して説明を省略する。この例は上記実施の形態１を示す図１を一部変形したものであり、この変形部分を拡大して示す。この例では、ケース７１のパワー回路部６０と相対するの壁面の貫通孔８１とその貫通孔８１を通る信号線８０との隙間を少量の樹脂で充填させるのではなく、制御基板７２が埋まるまでの大量の樹脂８２０がケース７１内に充填されている。上記のように構成された実施の形態４のインバータ一体型回転電機によれば、上記各実施の形態と同様の効果を奏するのはもちろんのこと、これにより、簡単にケースのパワー回路部と相対するの壁面をシールでき、かつ、制御基板全体の耐絶縁性、耐環境性能を向上することができる。
【００１６】
実施の形態５．
図５はこの発明の実施の形態５におけるインバータ一体型回転電機の要部の構成を示した断面図である。図において、上記各実施の形態と同様の部分は同一符号を付して説明を省略する。この例は上記実施の形態１を示す図１を一部変形したものであり、この変形部分を拡大して示す。この例では、モータハウジング３０のみにて容器１０１を形成しており、インバータ手段５０は容器１０１のファン２の駆動により外部から空気が矢印Ａにて吸入される通風孔９０に配設されている。上記のように構成された実施の形態５のインバータ一体型回転電機によれば、上記各実施の形態と同様の効果を奏するのはもちろんのこと、容器を１つのハウジングにて構成することができる。尚、上記各実施の形態の構成は適宜組み合わせることができることは言うまでもなく、それぞれの効果を奏することができる。
【図面の簡単な説明】
【００１７】
【図１】本発明の実施の形態１によるインバータ一体型回転電機の構成を示す断面図である。
【図２】本発明の実施の形態２によるインバータ一体型回転電機の要部の構成を示す断面図である。
【図３】本発明の実施の形態３によるインバータ一体型回転電機の要部の構成を示す断面図である。
【図４】本発明の実施の形態４によるインバータ一体型回転電機の要部の構成を示す断面図である。
【図５】本発明の実施の形態５によるインバータ一体型回転電機の要部の構成を示す断面図である。
【符号の説明】
【００１８】
１  回転軸、２  冷却ファン、３，３０  モータハウジング、４  交流モータ、
８  カバー、９  外部ケース、５０  インバータ手段、６０  パワー回路部、
７０  制御回路部、７１  ケース、７２  制御基板、７３  防水パッキン、
７４  配線部、８０，８０１  信号線、８１，８１１  貫通孔、８２，８２０  樹脂、
８３  水抜き穴部、９０  通風孔、１００，１０１  容器。
【図１】
2007037280.tif 000003
【図２】
2007037280.tif 000004
【図３】
2007037280.tif 000005
【図４】
2007037280.tif 000006
【図５】
2007037280.tif 000007